【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
膨張したパウチを製造するためのシステムであって、
ａ．膨張可能なパウチの供給品であり、
（１）閉鎖遠位端および開放近位端を有する一連の膨張可能なチャンバを画定するパターンで互いに封止される内側表面を有する２つのシートを備える膨張可能なウェブであり、前記開放近位端が、前記チャンバの各々のための膨張ポートを設け、前記チャンバが、前記ウェブの長手方向寸法に対してほぼ横方向に配列される、膨張可能なウェブ、
（２）前記ウェブの長手方向折り目であり、前記ウェブが前記長手方向折り目で一緒に接合される２つの並置された膨張可能なパネルの形で構成されるように、前記ウェブの前記長手方向寸法に沿って延在する、長手方向折り目、および
（３）膨張可能なパウチの接続された一続きのものが前記ウェブの前記長手方向寸法に沿って延在するように、横方向シールの対の間に膨張可能なパウチの接続された一続きのものを形成するように一緒に前記パネルを接合する、前記一連の横方向シール
を備える、膨張可能なパウチの供給品と、
ｂ．ガスを前記膨張ポートを介して前記膨張可能なチャンバに導入して、それによって膨張したパウチを形成するように前記膨張可能なパウチの並置された膨張可能なパネルを膨張させるための、膨張アセンブリと、
ｃ．ガスを前記膨張したパウチのチャンバ内に閉じ込めるように前記膨張ポートを封止するための、密封機構と
を備える、膨張したパウチを製造するためのシステム。
【請求項２】
ａ．前記膨張可能なウェブが、長手方向膨張縁および反対側の閉鎖長手方向縁を含み、
ｂ．前記チャンバの前記膨張ポートが、前記膨張縁に沿って直列に配置され、
ｃ．前記チャンバの前記遠位端が、前記閉鎖縁に沿って直列に配置される
請求項１に記載のシステム。
【請求項３】
前記膨張縁が前記膨張可能なパウチの供給品において前記閉鎖縁からオフセットされるように、前記膨張可能なウェブの前記長手方向折り目が中心を外れている、請求項２に記載のシステム。
【請求項４】
ａ．前記膨張縁および前記閉鎖縁が、前記長手方向折り目から延在し、
ｂ．前記膨張縁が、前記閉鎖縁が延在するよりもより大きな距離だけ前記長手方向折り目から延在し、
ｃ．前記より大きな距離が、前記膨張縁と前記閉鎖縁との間の前記オフセットと相当する、請求項３に記載のシステム。
【請求項５】
前記システムを通して前記膨張可能なパウチの供給品を搬送するための搬送機構をさらに含み、前記搬送機構が、搬送を行なうように前記膨張縁に係合する、請求項４に記載のシステム。
【請求項６】
前記搬送機構が、前記ウェブの前記長手方向寸法に平行な方向に前記膨張可能なパウチの供給品の前記搬送を行なう、請求項５に記載のシステム。
【請求項７】
前記搬送が、実質的に連続方式で行われる、請求項６に記載のシステム。
【請求項８】
前記膨張アセンブリが、前記膨張ポートを介して実質的に連続的にかつ順次前記膨張可能なチャンバにガスを導入する、請求項７に記載のシステム。
【請求項９】
前記密封機構が、実質的に連続的にかつ順次前記膨張ポートを封止する、請求項７に記載のシステム。
【請求項１０】
前記膨張可能なウェブが、前記膨張縁を画定するように前記膨張ポートを越えて延在する前記シートの各々の一部によって形成される一対の長手方向フランジを含む、請求項４に記載のシステム。
【請求項１１】
ａ．前記膨張可能なチャンバの各々が、所定の長さを有し、
ｂ．前記チャンバの各々が、それらの長さにわたって幅の少なくとも１つの変化を有する、請求項１に記載のシステム。
【請求項１２】
前記膨張可能なパウチの供給品が、少なくとも一対の前記横方向シールの間に少なくとも１本の脆弱線をさらに含む、請求項１に記載のシステム。
【請求項１３】
前記膨張可能なウェブの前記シールパターンが、前記膨張可能なパウチが膨張された場合に独立して立っていることができるように構成される、請求項１に記載のシステム。
【請求項１４】
前記膨張したパウチが、その上にラベルを受け取るのに適応している外側表面を含む、請求項１に記載のシステム。
【請求項１５】
膨張したパウチを製造するための方法であって、
ａ．膨張可能なパウチの供給品を提供するステップであり、前記供給品が、
（１）閉鎖遠位端および開放近位端を有する一連の膨張可能なチャンバを画定するパターンで互いに封止される内側表面を有する２つのシートを備える膨張可能なウェブであり、前記開放近位端が、前記チャンバの各々のための膨張ポートを設け、前記チャンバが、前記ウェブの長手方向寸法に対してほぼ横方向に配列される、膨張可能なウェブ、
（２）前記ウェブの長手方向折り目であり、前記ウェブが前記長手方向折り目で一緒に接合される２つの並置された膨張可能なパネルの形で構成されるように、前記ウェブの前記長手方向寸法に沿って延在する、長手方向折り目、および
（３）膨張可能なパウチの接続された一続きのものが前記ウェブの前記長手方向寸法に沿って延在するように、横方向シールの対の間に膨張可能なパウチの接続された一続きのものを形成するように一緒に前記パネルを接合する、前記一連の横方向シール
を備える、ステップと、
ｂ．ガスを前記膨張ポートを介して前記膨張可能なチャンバに導入するステップであり、それによって膨張したパウチを形成するように前記並置されたパネルを膨張させるステップと、
ｃ．ガスを前記膨張したパウチの前記チャンバ内に閉じ込めるように前記膨張ポートを封止するステップと
を含む、膨張したパウチを製造するための方法。
【請求項１６】
前記膨張したパウチの１つまたは複数からパッケージを製造するステップをさらに含む、請求項１５に記載の方法。
【請求項１７】
前記パッケージを製造するステップが、（ａ）物体を前記膨張したパウチの１つまたは複数の中に配置するステップと、（ｂ）前記膨張したパウチの１つまたは複数を物体の一部に配置するステップとのうちの少なくとも１つを含む、請求項１６に記載の方法。
【請求項１８】
膨張可能なパウチを製造するための方法であって、
ａ．閉鎖遠位端および開放近位端を有する一連の膨張可能なチャンバを画定するパターンで互いに封止される内側表面を有する２つのシートを備え、前記開放近位端が、前記チャンバの各々のための膨張ポートを設け、前記チャンバが、前記ウェブの長手方向寸法に対してほぼ横方向に配列される、膨張可能なウェブを提供するステップと、
ｂ．その中に長手方向折り目を形成して、それによって前記長手方向折り目で一緒に接合される２つの並置された膨張可能なパネルの形で前記ウェブを構成するように、前記ウェブの前記長手方向寸法に沿って前記ウェブを折り畳むステップと、
ｃ．膨張可能なパウチの接続された一続きのものが前記ウェブの前記長手方向寸法に沿って延在するように、横方向シールの対の間に膨張可能なパウチの接続された一続きのものを形成するように一緒に前記パネルを接合する、前記一連の横方向シールを製造するステップと
を含み、
それによって、前記パウチが、前記膨張ポートを介して膨張され得る、膨張可能なパウチを製造するための方法。
【請求項１９】
ａ．ガスを前記膨張ポートを介して前記膨張可能なチャンバに導入するステップであり、それによって膨張したパウチを形成するように前記並置されたパネルを膨張させる、ステップと、
ｂ．ガスを前記膨張したパウチの前記チャンバ内に閉じ込めるように前記膨張ポートを封止するステップと
をさらに含み、
それによって、前記膨張可能なパウチが、膨張したパウチに変えられる、請求項１８に記載の方法。
【請求項２０】
ａ．閉鎖遠位端および開放近位端を有する一連の膨張可能なチャンバを画定するパターンで互いに封止される内側表面を有する２つのシートを備える膨張可能なウェブであり、前記開放近位端が、前記チャンバの各々のための膨張ポートを設け、前記チャンバが、前記ウェブの長手方向寸法に対してほぼ横方向に配列される、膨張可能なウェブと、
ｂ．前記ウェブの長手方向折り目であり、前記ウェブが前記長手方向折り目で一緒に接合される２つの並置された膨張可能なパネルの形で構成されるように、前記ウェブの前記長手方向寸法に沿って延在する、長手方向折り目と、
ｃ．膨張可能なパウチの接続された一続きのものが前記ウェブの前記長手方向寸法に沿って延在するように、横方向シールの対の間に膨張可能なパウチの接続された一続きのものを形成するように一緒に前記パネルを接合する、前記一連の横方向シールと
を備え、
それによって、前記パウチが、前記膨張ポートを介して膨張され得る、膨張可能なパウチの供給品。
【請求項２１】
膨張したパウチを製造するための方法であって、
ａ．閉鎖遠位端および開放近位端を有する一連の膨張可能なチャンバを画定するパターンで互いに封止される内側表面を有する２つのシートを備え、前記開放近位端が、前記チャンバの各々のための膨張ポートを設け、前記チャンバが、前記ウェブの長手方向寸法に対してほぼ横方向に配列される、膨張可能なウェブを提供するステップと、
ｂ．その中に長手方向折り目を形成して、それによって前記長手方向折り目で一緒に接合される２つの並置されたパネルの形で前記ウェブを構成するように、前記ウェブの前記長手方向寸法に沿って前記ウェブを折り畳むステップと、
ｃ．ガスを前記膨張ポートを介して前記膨張可能なチャンバに導入するステップと、
ｄ．ガスを前記チャンバ内に閉じ込めるように前記膨張ポートを封止するステップと、
ｅ．横方向シールの対の間に一連の膨張したパウチを形成するように一緒に前記パネルを接合する、前記一連の横方向シールを製造するステップと
を含む、膨張したパウチを製造するための方法。
【請求項２２】
前記ウェブから前記膨張したパウチを分離するステップをさらに含む、請求項２１に記載の方法。
【請求項２３】
前記膨張したパウチの１つまたは複数からパッケージを製造するステップをさらに含む、請求項２１に記載の方法。
【請求項２４】
前記パッケージを製造するステップが、（ａ）物体を前記膨張したパウチの１つまたは複数の中に配置するステップと、（ｂ）前記膨張したパウチの１つまたは複数を物体の一部に配置するステップとのうちの少なくとも１つを含む、請求項２３に記載の方法。